【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
椅子の背凭れの一部を着座者の腰部に向けて任意量だけ突出させるランバーサポートにおいて、前記背凭れのインナーシェルに対し可動的に取り付けられたサポート板と、前記サポート板の裏側に設けられて前記サポート板を表側へ突出する変位を与えるカム機構と、前記背凭れの中心線から離れかつ着座した状態で手の届く範囲に露出させて配置される操作手段と、前記カム機構と前記操作手段とを連係すると共に前記操作手段の操作により前記カム機構を回転させる回転機構とを備えたことを特徴とする椅子のランバーサポート。
【請求項２】
前記サポート板は、前記インナーシェルに揺動可能に取り付けられていることを特徴とする請求項１記載の椅子のランバーサポート。
【請求項３】
前記カム機構は、端面カムとこの端面カムと同軸上に対向配置され前記端面カムのカム面と凹凸が逆のカム接触面を有する従動節とから成ることを特徴とする請求項１または２記載の椅子のランバーサポート。
【請求項４】
前記カム機構または前記回転機構または前記操作手段のいずれかの部材にクリック機構を設けたことを特徴とする請求項１から３のいずれかに記載の椅子のランバーサポート。
【請求項５】
前記カム機構は、端面カムとこの端面カムと同軸上に対向配置される従動節とから成り、カム変位が与えられる領域と与えられない領域とを交互に有し前記端面カムの回転によって段階的なカム変位が与えられることを特徴とする請求項１記載の椅子のランバーサポート。
【手続補正２】
【補正対象書類名】明細書
【補正対象項目名】０００５
【補正方法】変更
【補正の内容】
【０００５】
【発明が解決するための手段】
かかる目的を達成するため、本発明の請求項１記載の発明は、椅子の背凭れの一部を着座者の腰部に向けて任意量だけ突出させるランバーサポートにおいて、背凭れのインナーシェルに対し可動的に取り付けられたサポート板と、サポート板の裏側に設けられてサポート板を表側へ突出する変位を与えるカム機構と、背凭れの中心線から離れかつ着座した状態で手の届く範囲に露出させて配置される操作手段と、カム機構と操作手段とを連係すると共に操作手段の操作によりカム機構を回転させる回転機構とを備えるようにしている。


【手続補正３】
【補正対象書類名】明細書
【補正対象項目名】０００７
【補正方法】変更
【補正の内容】
【０００７】
さらに、背凭れの外に露出した操作手段の小さな幅での移動は回転機構でランバーサポートに必要とされる突き出し量を得るに必要なカム機構の回転運動量に変換され、サポート板を大きく突き出させる。したがって、着座した状態で操作手段を持ち替えることなく片手だけで連続的にサポート板を突出させてその突出量を調整可能とする。
また、請求項２記載の椅子のランバーサポートにおいては、サポート板は、インナーシェルに揺動可能に取り付けられている。
【手続補正４】
【補正対象書類名】明細書
【補正対象項目名】０００８
【補正方法】変更
【補正の内容】
【０００８】
また、請求項３記載の椅子のランバーサポートは、カム機構を、端面カムとこの端面カムと同軸上に対向配置され端面カムのカム面と凹凸が逆のカム接触面を有する従動節とから成るものとしている。この場合、端面カムを回転させるだけで、同軸上で従動節が突き出されてさらにその前方のサポート板を前側に突き出す。


【手続補正５】
【補正対象書類名】明細書
【補正対象項目名】０００９
【補正方法】変更
【補正の内容】
【０００９】
さらに、請求項４記載の椅子のランバーサポートは、カム機構または回転機構または操作手段のいずれかの部材にクリック機構を設けるようにしている。この場合、着座者の体重や上張地及びクッション、サポート板の弾力などでカム機構が逆回転するのを阻止する。


【手続補正６】
【補正対象書類名】明細書
【補正対象項目名】００１０
【補正方法】変更
【補正の内容】
【００１０】
さらに、請求項５記載の椅子のランバーサポートは、カム機構を、端面カムとこの端面カムと同軸上に対向配置される従動節とから成り、カム変位が与えられる領域と与えられない領域とを交互に有し端面カムの回転によって段階的なカム変位が与えられるようにしている。この場合、背もたれの突出した部分を押し戻す力が作用しても、カム変位が与えられない領域では従動節側からカム変位方向即ち突出を凹ます方向に力が作用しても端面カムを回転させることができない。このためカム機構の逆回転が阻止される。


【手続補正７】
【補正対象書類名】明細書
【補正対象項目名】００４１
【補正方法】変更
【補正の内容】
【００４１】
【発明の効果】
以上の説明より明らかなように、請求項１記載の発明では、椅子の背凭れの一部を着座者の腰部に向けて任意量だけ突出させるランバーサポートにおいて、背凭れのインナーシェルに対し可動的に取り付けられたサポート板と、サポート板の裏側に設けられてサポート板を表側へ突出する変位を与えるカム機構と、背凭れの中心線から離れかつ着座した状態で手の届く範囲に露出させて配置される操作手段と、カム機構と操作手段とを連係すると共に操作手段の操作によりカム機構を回転させる回転機構とを備えるようにしているので、操作手段により回転機構を介してカム機構を駆動することによって、サポート板が任意量だけ前方に押し出されて背凭れのクッション及び上張地の一部を着座者の腰部に押し当てて腰部を支持できる。しかも、背凭れの周りには操作手段以外に露出する部材はないので、外観を損ねることはない。


【手続補正８】
【補正対象書類名】明細書
【補正対象項目名】００４５
【補正方法】変更
【補正の内容】
【００４５】
請求項２の椅子のランバーサポートは、インナーシェルに揺動可能に取り付けられたサポート板を揺動させることによって任意量だけ前方に押し出し、背凭れのクッション及び上張地の一部を着座者の腰部に押し当てて腰部を支持することができる。
また、請求項３の椅子のランバーサポートは、カム機構を、端面カムとこの端面カムと同軸上に対向配置され端面カムのカム面と凹凸が逆のカム接触面を有する従動節とから成るものとしているので、同軸上の端面カムと従動節という簡易な機構によりカム操作機構による運動を椅子の前後方向の往復直線運動に変換してサポート板を突出させることができる。このため、ランバーサポートの構造の簡易化を図ることができる。


【手続補正９】
【補正対象書類名】明細書
【補正対象項目名】００４６
【補正方法】変更
【補正の内容】
【００４６】
さらに、請求項４の椅子のランバーサポートは、カム機構または回転機構または操作手段のいずれかの部材にクリック機構を設けるようにしているので、カム機構の逆回転を阻止して着座者の体重や上張地及びクッションの弾力でサポート板が押し戻されることを防止できる。


【手続補正１０】
【補正対象書類名】明細書
【補正対象項目名】００４７
【補正方法】変更
【補正の内容】
【００４７】
さらに、請求項５記載の椅子のランバーサポートは、カム機構を、端面カムとこの端面カムと同軸上に対向配置される従動節とから成り、カム変位が与えられる領域と与えられない領域とを交互に有し端面カムの回転によって段階的なカム変位が与えられるようにしているので、背もたれの突出した部分を押し戻す力が作用しても、カム変位が与えられない領域では従動節側からカム変位方向即ち突出を凹ます方向に力が作用しても端面カムを回転させることができない。このためカム機構の逆回転が阻止され、クリック機構のような逆回転を阻止するための機構を別に設ける必要がなく、構造が簡単になる。